(57)【特許請求の範囲】
【請求項１】
電子表示部と、
複数の選択候補値の中から選択される設定値を前記電子表示部に表示させる表示制御部を備え、
前記表示制御部は、
順序が整列された前記複数の選択候補値を順次選択するための回転操作子が回転操作されていない場合に、前記設定値、および整列順において前記設定値近傍の複数の選択候補値を整列順に並べて前記電子表示部に表示させ、
前記回転操作子が回転操作されている間に、前記選択候補値を消去し、前記回転操作子の回転に応じて表示位置が円周方向に沿って移動する指標を前記電子表示部に表示させる、
ことを特徴とする表示装置。
【請求項２】
前記表示制御部は、前記指標の表示位置の移動経路上に前記複数の選択候補値を表示させる、
ことを特徴とする、請求項１に記載の表示装置。
【請求項３】
前記表示制御部は、前記回転操作子が回転操作されていない場合に、順序が整列された前記複数の選択候補値の配列方向を示す目盛を表示させ、前記目盛に沿って前記設定値および前記設定値近傍の複数の選択候補値を表示させる、
ことを特徴とする請求項１または２に記載の表示装置。
【請求項４】
回転操作子を含む操作部と、
前記操作部からの操作信号に基づいて前記回転操作子による設定項目を特定する制御部と、
前記設定項目に応じて、表示させる設定値および選択候補値を変更する前記請求項１から３のいずれか１項に記載の表示装置と、
を備えることを特徴とする電子機器。
【発明の詳細な説明】
【技術分野】
【０００１】
本発明は、表示装置およびこれを備える電子機器に関する。
【背景技術】
【０００２】
デジタルオーディオプレイヤなどの電子機器には表示部が設けられている。この表示部には、例えば現在時刻、再生中のＣＤのトラック番号、あるいは現在の再生位置を示すカウンタなどの各種情報が表示される。電子機器に設けられる表示部は、電子的な方法で表示が行われる電子表示部であり、例えば液晶ディスプレイなどで構成される。電子表示部は、その表示内容を容易に変更することができるという利点を有している。例えば、機器の動作モードに応じて表示内容を変更することができる。これらの利点から、電子機器においては電子表示部が広く用いられている。
【０００３】
電子表示部において表示されるのは一般的に文字や数字であり、例えば時刻表示においては、時分を示す数字が単に表示されるのが一般的である。しかし、電子表示部においてアナログ的な表示を行うことも提案されている。例えば、電子表示部において表示面周縁部に設けられた各セグメントを順次点灯させるなどしてアナログ的に時刻を表示することが提案されている（特許文献１〜３参照）。
【先行技術文献】
【特許文献】
【０００４】
【特許文献１】実開昭５０−９９９７７号公報
【特許文献２】特開昭５６−１６３４８２号公報
【特許文献３】特開昭５８−１４０６７０号公報
【発明の概要】
【発明が解決しようとする課題】
【０００５】
電子表示部を有する電子機器に対してユーザが操作を行う場合において、従来（電子表示部による表示が行われる前）と同様な操作感覚が得られることが求められている。例えば、デジタルオーディオプレイヤにおいてボリューム調整を行う場合、ボリュームコントローラを操作した場合に表示部には設定ボリューム値が数字で表示されるのみであるが、従来のように、ボリュームコントローラに指標マーカが示されており、ボリュームコントローラを回すと当該指標マーカの位置が変わるといったアナログ的な操作感覚が求められている。なお、本明細書において「アナログ的な操作感覚」とは、上述のボリュームコントローラにおける指標マーカの移動、あるいは従来のチューナ受信器のように周波数選択用コントローラを回転させると表示部に設けられた指針が目盛に沿って移動するなど、操作に応じて操作部あるいは表示部が物理的に移動することを感じることができる操作感覚を意味する。
【０００６】
また、電子表示部は、その表示面積を広くすることが難しいのが一般的である。したがって、限られた表示領域の中で、ユーザにアナログ的な操作感覚を与えることが求められる。
【０００７】
本発明の目的は、電子表示部を有する電子機器に対してユーザが操作を行った場合に、表示内容を柔軟に変更できるという電子表示部が有する機能を活かしつつ、当該操作についてアナログ的な操作感覚をユーザに対して与えることにある。
【課題を解決するための手段】
【０００８】
本発明に係る表示装置は、電子表示部と、複数の選択候補値の中から選択される設定値を前記電子表示部に表示させる表示制御部を備え、前記表示制御部は、順序が整列された前記複数の選択候補値を順次選択するための回転操作子が回転操作されていない場合に、前記設定値、および整列順において前記設定値近傍の複数の選択候補値を整列順に並べて前記電子表示部に表示させ、前記回転操作子が回転操作されている間に、前記選択候補値を消去し、前記回転操作子の回転に応じて表示位置が円周方向に沿って移動する指標を前記電子表示部に表示させる、ことを特徴とする。
【０００９】
望ましくは、前記表示制御部は、前記指標の表示位置の移動経路上に前記複数の選択候補値を表示させる。
【００１０】
望ましくは、前記表示制御部は、前記回転操作子が回転操作されていない場合に、順序が整列された前記複数の選択候補値の配列方向を示す目盛を表示させ、前記目盛に沿って前記設定値および前記設定値近傍の複数の選択候補値を表示させる。
【００１１】
また、本発明は、回転操作子を含む操作部と、前記操作部からの操作信号に基づいて前記回転操作子による設定項目を特定する制御部と、前記設定項目に応じて、表示させる設定値および選択候補値を変更する上記の表示装置とを備える電子機器である。
【発明の効果】
【００１２】
本発明によれば、電子表示部を有する電子機器に対してユーザが操作を行った場合に、表示内容を柔軟に変更できるという電子表示部が有する機能を活かしつつ、当該操作についてアナログ的な操作感覚をユーザに対して与えることができる。
【図面の簡単な説明】
【００１３】
【図１】本実施形態に係るデジタルオーディオプレイヤの構成概略図である。
【図２】ロータリーコントローラが操作されている間における表示部の表示例を示す図である。
【図３】指針の表示位置が移動する様子を示す図である。
【図４】ロータリーコントローラが操作されていない場合における表示部の表示例を示す図である。
【図５】ロータリーコントローラの操作に応じた表示部の表示の変化を示す図である。
【図６】表示制御部の動作の流れを示すフローチャートである。
【発明を実施するための形態】
【００１４】
以下、本発明の実施形態について、機器としてデジタルオーディオプレイヤを例にとり説明する。なお、以下に説明する実施形態は一例であり、本発明は以下に説明する実施形態に限られるものではない。
【００１５】
図１は、本実施形態に係るデジタルオーディオプレイヤ１０の構成概略図である。デジタルオーディオプレイヤ１０は、家庭用オーディオプレイヤであり、ＣＤ再生機能、チューナ機能、外部機器から入力されるオーディオデータの再生機能など複数の機能を有している。デジタルオーディオプレイヤ１０においては、各部がＢＵＳを介して接続されている。
【００１６】
ＣＤ読取部１２は、ＣＤからオーディオデータを光学的に読み取る。ＣＤは一般的に複数のトラック（曲）を有しており、通常１トラック目から読み取りが開始される。オーディオデータの読み取り対象となるトラックは、ユーザにより後述の操作部２２を用いて指定されることができる。本実施形態ではＣＤ読取部１２には１枚のＣＤが収容可能であるが、複数のＣＤが収容可能であってもよい。この場合には、オーディオデータの読み取り対象となるＣＤは、ユーザにより操作部２２を用いて選択される。読み取られたオーディオデータは音声処理部１８へ送られる。
【００１７】
チューナ部１４は、ＡＭ放送およびＦＭ放送などのラジオ放送を受信する。チューナ部１４は、受信した放送のうち、ユーザにより操作部２２を用いて選択された周波数の送信波について復調（検波）処理を行い、当該送信波に含まれている音声データを取得する。取得された音声データは音声処理部１８へ送られる。
【００１８】
外部入力インターフェース１６は、外部機器との接続を行うインターフェースである。本実施形態では、外部入力インターフェース１６としてＵＳＢ端子が設けられ、外部機器としてオーディオファイル（ＷＡＶファイルあるいはＭＰ３ファイルなど）が記憶されたＵＳＢメモリがＵＳＢ端子に接続される。ＵＳＢメモリには複数のオーディオファイルを記憶することが可能であり、再生対象となるオーディオファイルはユーザにより操作部２２を用いて選択される。選択されたオーディオファイルは音声処理部１８へ送られる。
【００１９】
外部入力インターフェース１６としては、ＵＳＢ端子に限られず、例えばＳＤカードスロットなどのメモリカードスロットなどであってもよい。また、有線で接続されるものに限られず、例えばＢｌｕｅｔｏｏｔｈ（登録商標）アダプタやＷｉ−Ｆｉアダプタなどであってもよい。外部機器としては、ＵＳＢメモリの他にも、ＳＤカードなどのメモリカード、あるいはＢｌｕｅｔｏｏｔｈ対応のポータブルオーディオプレイヤなどであってもよい。
【００２０】
音声処理部１８は、例えばＤＳＰ（Digital Signal Processor）であり、ＣＤ読取部１２、チューナ部１４、および外部機器から送られるデジタルオーディオデータをアナログオーディオ信号に変換してスピーカ２０に送る。音声処理部１８は、ユーザにより操作部２２により設定されるボリューム設定に応じた振幅でアナログオーディオ信号を出力する。
【００２１】
スピーカ２０は音声処理部１８からのアナログオーディオ信号を受け、当該アナログオーディオ信号を音声として出力する。
【００２２】
操作部２２は、デジタルオーディオプレイヤ１０に対してユーザが指示を送るためのものである。操作部２２は、複数のプッシュボタンを含むプッシュボタン群２２ａおよび２つのロータリーコントローラ２２ｂおよび２２ｃを含んでいる。これらは、デジタルオーディオプレイヤ１０の前面あるいは上面に設けられる。
【００２３】
プッシュボタン群２２ａに含まれる各プッシュボタンは、押下されることで制御部２４への出力電圧値が変化するものである。プッシュボタン群２２ａは、電源をＯＮ／ＯＦＦさせるための電源ボタン、ＣＤまたはオーディオファイルの再生や停止を行う再生／停止ボタン、あるいはファンクション（ＣＤファンクション、チューナファンクション、外部入力ファンクションなどのデジタルオーディオプレイヤ１０の動作モード）の切り替えなどを行うためのファンクションボタンなどを含む。
【００２４】
ロータリーコントローラ２２ｂおよび２２ｃは、例えばロータリーエンコーダであり、所定の角度回転させられる毎に制御部２４に対してパルス波を送信する。ロータリーコントローラ２２ｂおよび２２ｃは、ボリュームの設定の他、各ファンクションに応じた様々な設定のために用いられる。例えば、ＣＤファンクションの場合には、再生トラック番号の選択などに用いられる。ＣＤ読取部１２が複数のＣＤを格納可能な場合には再生対象となるＣＤの選択にも用いられる。また、チューナファンクションの場合には、チューナの周波数選択などに用いられる。また、外部入力ファンクションの場合には、外部機器のオーディオファイルの選択などに用いられる。
【００２５】
１つのロータリーコントローラが複数の設定のために用いられるようにしてもよい。例えば、ロータリーコントローラ２２ｃをＣＤファンクションにおいては再生トラックの選択に用い、チューナファンクションにおいては周波数の選択に用いるというようにすることもできる。本実施形態では、一方のロータリーコントローラ２２ｂは各ファンクションに共通してボリュームの設定に用いられ、もう一方のロータリーコントローラ２２ｃは、上述したその他の設定のために共用で用いられる。
【００２６】
制御部２４は、例えばＣＰＵやマイクロプロセッサであり、デジタルオーディオプレイヤ１０各部の制御を行う。特に制御部２４は、以下に説明するように、操作部２２からの信号に基づいてＣＤ読取部１２、チューナ部１４、音声処理部１８、および外部機器の各部の制御を行う。また、制御部２４は、同じく以下に説明するように、操作部２２の操作状態を示す情報を表示制御部２６に送信する。
【００２７】
制御部２４は、プッシュボタン群２２ａに含まれる各プッシュボタンからの信号に基づいて、当該プッシュボタンに応じた制御を行う。例えば、プッシュボタン群２２ａに含まれるファンクションボタンがユーザにより押された場合には、デジタルオーディオプレイヤ１０のファンクションを切り換える制御を行う。制御部２４は、ユーザにより設定されたファンクションを特定すると、当該ファンクションに応じた機能ブロックに対して制御を行う。例えば、ＣＤファンクションが選択された場合は、ＣＤ読取部１２に対して再生、停止、トラック選択などの制御を行う。さらに、表示制御部２６に対し、特定したファンクションを示す情報を送信する。
【００２８】
また、制御部２４は、ロータリーコントローラ２２ｂおよび２２ｃの回転方向および回転量を検出し、当該回転方向および回転量に応じた制御を行う。例えば、ロータリーコントローラ２２ｂが回転させられた場合には、音声処理部１８を制御し、音声処理部１８の出力アナログオーディオ信号の振幅を回転方向および回転量に応じた分だけ変化させる。また、制御部２４は、検出した回転方向および回転量を示す情報を表示制御部２６に送信する。
【００２９】
表示制御部２６は、デジタルオーディオプレイヤ１０の動作状態などを示す情報を表示部３０に表示させる。例えば、表示制御部２６は、現在時刻や現在設定されているボリューム値などを表示部３０に表示させる。また、表示制御部２６は、操作部２２の操作状態を示す情報を制御部２４から受け取り、操作部２２の操作に応じて表示部３０に表示させる情報を変更する。例えば、操作部２２の操作により設定されたファンクションに応じて表示部３０の表示内容を変更させる。例えば、ＣＤファンクションの場合は、再生対象となるＣＤの情報、例えばトラック数、総再生時間などを表示させる。また、ＣＤの再生中においては、再生トラック番号、再生位置を示すカウンタなどを表示させる。ＣＤ読取部１２が複数のＣＤを格納可能な場合は、再生対象となるＣＤを示す番号を表示させてもよい。チューナファンクションの場合には、選択周波数などを表示させる。また、外部入力ファンクションの場合には、外部機器に含まれるオーディオファイルの数などを表示させる。外部機器のオーディオファイルの再生中においては、再生中のオーディオファイル番号などを表示させる。
【００３０】
表示制御部２６は、例えばボリュームの設定、あるいは再生トラック番号の選択などのためにロータリーコントローラ２２ｂまたは２２ｃがユーザにより回転させられた場合に、ユーザに対してアナログ的な操作感覚を与えるための表示を表示部３０上において行う。具体的には、ロータリーコントローラ２２ｂおよび２２ｃの回転方向あるいは回転量に応じて表示部３０上を移動する回転指標を表示させること、あるいはボリュームなどの設定値のみを表示するのではなく、設定値近傍の値を設定値と合わせて表示させることなどによりユーザに対してアナログ的な操作感覚を与える。これらの表示態様の詳細については、図２〜５を用いて後述する。
【００３１】
メモリ２８は、例えばＲＯＭ（Read Only Memory）やＲＡＭ（Random Access Memory）などで構成され、デジタルオーディオプレイヤ１０の各部を動作させるためのプログラム、あるいはデジタルオーディオプレイヤ１０の各種設定などを記憶するものである。
【００３２】
表示部３０は、電子的あるいは光学的な方法で表示を行う電子表示部である。表示部３０としては、液晶ディスプレイ、蛍光表示管（ＦＬディスプレイ）、あるいは有機ＥＬディスプレイなどが用いられる。表示部３０は複数のセグメントを有しており、表示制御部２６が各セグメントを点灯／消灯させることで、表示部３０上に各種情報が表示される。
【００３３】
以下、図１を参照しながら図２−５を用いて、表示制御部２６の動作、特にユーザに対してアナログ的な操作感覚を与えるための動作を説明する。以下においては、チューナファンクションが選択されている場合を例に説明する。
【００３４】
図２は、ロータリーコントローラ２２ｃが回転している間における表示部３０の表示例を示す図である。チューナファンクションにおいては、ロータリーコントローラ２２ｃは周波数の選択に用いられる。ロータリーコントローラ２２ｃが回転させられると、選択可能な周波数が順番に選択される。例えば、ＦＭであれば７６．００ＭＨｚから９０．００ＭＨｚまでの周波数が、０．１ＭＨｚ毎に順次選択される。本実施形態では、ロータリーコントローラ２２ｃが右回りに回転させられた場合は、昇順に選択周波数が選択され、左回りに回転させられた場合は、降順に選択周波数が選択される。表示制御部２６は、現在選択されている選択周波数４０を数値として表示部３０に表示させる。
【００３５】
表示制御部２６は、選択周波数４０とともに、円周方向に沿って設けられる目盛４２、および目盛４２に沿って回転指標としての指針４４ａおよび４４ｂを表示させる。目盛４２は、円周方向に沿って表示されるが、その曲率は任意に設定されてよい。また、ロータリーコントローラ２２ｃが回転させられている場合には、必ずしも目盛４２を表示する必要は無い。指針４４ａおよび４４ｂは、ユーザが視認しやすいようそれぞれ２本の針状部から構成されている。指針４４ａおよび４４ｂは、目盛４２が示す円周上において対向する位置に表示される。表示制御部２６は、ロータリーコントローラ２２ｃの回転に応じて、指針４４ａおよび４４ｂの表示位置を移動させる。
【００３６】
図３は、指針４４ａおよび４４ｂの表示位置が移動する様子を示す図である。図３（ａ）に示すように、ロータリーコントローラ２２ｃが右回りに回転させられた場合には、表示制御部２６は、ロータリーコントローラ２２ｃの当該回転を表現するように指針４４ａおよび４４ｂの表示位置を移動させる。具体的には、目盛４２の左側に表示された指針４４ａを目盛４２に沿って上側に移動させ、目盛４２の右側に表示された指針４４ｂを目盛４２に沿って下側に移動させる。すなわち、ロータリーコントローラ２２ｃの回転方向と同じ方向に指針４４ａおよび４４ｂをその対向関係を維持しつつ移動させる。これにより、ユーザに対してロータリーコントローラ２２ｃの回転に応じて表示部３０において指針４４ａおよび４４ｂが回転しているような感覚を与える。
【００３７】
本実施形態では、指針４４ａおよび４４ｂを表示させこれを移動させることによりユーザに対してアナログ的な操作感覚を与えているが、ユーザにアナログ的な操作感覚を与えることができる限りにおいて、他の表示態様を採用してもよい。例えば、指針４４ａおよび４４ｂに代えて点やマークなどを移動させるようにしてもよいし、あるいはロータリーコントローラ２２ｃの回転に応じて目盛４２に含まれる複数の線を順次点灯あるいは消灯させる、などの態様であってもよい。
【００３８】
なお、選択周波数が放送周波数と同調した場合には、そのことをユーザに通知するよう表示態様を変更するようにしてもよい。例えば、指針４４ａおよび４４ｂや目盛４２を点滅表示させる、あるいは指針４４ａおよび４４ｂの長さや数を変更するなどして選択周波数が放送周波数と同調したことをユーザに通知する。
【００３９】
上述したように、ロータリーコントローラ２２ｃの回転に応じて指針４４ａおよび４４ｂが円周方向に移動するので、アナログ的な操作感覚をユーザに与えることができる。従来のチューナにおいては、一般的に選択周波数を指し示すものとして棒状の指針が用いられていたところ、これに似た形状の指針４４ａおよび４４ｂを表示しこれをロータリーコントローラ２２ｃの回転に応じて移動させたことで、従来機器（アナログ機器）の操作感覚と同様な感覚をユーザに与えることができる。さらに、目盛４２を表示させ目盛４２に沿って指針４４ａおよび４４ｂを移動させたことで、指針４４ａおよび４４ｂの形状とも相俟って目盛に指針を合わせているような操作感覚をユーザに与えることができる。また、指針を対向する位置に２つ表示させることで、ユーザに対して回転のイメージをより強く与えている。
【００４０】
また、選択周波数の変化に合わせて指針４４ａおよび４４ｂを移動させるのが好適である。具体的には、選択周波数が０．１ＭＨｚ変化したときに、指針４４ａおよび４４ｂも目盛４２の１目盛分移動させる。これにより、選択周波数４０の変化と指針４４ａおよび４４ｂの動くタイミングを一致させることができ、操作感覚をより向上させることができる。
【００４１】
図４は、ロータリーコントローラ２２ｃが操作されていない場合における表示部３０の表示例を示す図である。表示制御部２６は、設定周波数が決定されると、表示部３０の表示を図４に示す表示に切り替える。具体的には、表示制御部２６は、ロータリーコントローラ２２ｃの回転が一定時間行われなかった場合に、表示部３０の表示を切り替える。
【００４２】
ロータリーコントローラ２２ｃが回転操作されていない場合、表示制御部２６は、複数の周波数から選択された設定値である設定周波数５０を表示させる。図４に示す例では、設定周波数５０として「８２．５０ＭＨｚ」が表示されている。さらに、表示制御部２６は、設定周波数５０の近傍周波数５２を複数表示させる。本例では、近傍周波数５２として、「３０」、「４０」、「６０」、および「７０」と表示されているが、これはそれぞれ８２．３０ＭＨｚ、８２．４０ＭＨｚ、８２．６０ＭＨｚ、および８２．７０ＭＨｚを意味するものである。すなわち、設定周波数５０の前後２つ分の選択可能な周波数が表示されている。なお、表示される近傍周波数５２の数は４つに限られず、表示部３０の表示面積など応じて適宜変更されてよい。また、近傍周波数５２は必ずしも設定周波数５０を中心としたものでなくてもよく、例えば設定周波数５０が「８２．５０ＭＨｚ」である場合に近傍周波数として「６０」、「７０」、「８０」、および「９０」を表示するようにしてもよい。この場合は、例えば図４において近傍周波数「３０」が表示されている位置に設定周波数５０を表示させる。
【００４３】
複数の近傍周波数５２は、目盛４２の外周側に沿って表示される。すなわち、複数の近傍周波数５２は、指針４４ａおよび４４ｂの移動経路と同一領域に表示される。したがって、表示制御部２６は、ロータリーコントローラ２２ｃの回転が一定時間行われなかった場合には、指針４４ａおよび４４ｂを消去した上で、複数の近傍周波数５２を表示させる。そして、再度ロータリーコントローラ２２ｃが回転させられた場合には、近傍周波数５２を消去し、指針４４ａおよび４４ｂを表示させる。
【００４４】
表示される近傍周波数５２は、選択可能な周波数の並び順序において設定周波数５０に隣接する周波数でなくてもよく、設定周波数５０からある程度の間隔を持った複数の周波数を近傍周波数５２として表示するようにしてもよい。例えば、目盛４２の１目盛が０．１ＭＨｚを意味するものとし、５目盛毎に近傍周波数５２を表示させる場合、設定周波数５０である「８２．５０ＭＨｚ」の近傍周波数５２として「８１．５０」、「８２．００」、「８３．００」、および「８３．５０」の各数値を表示させるようにしてもよい（後述の図５（ａ）参照）。
【００４５】
図５は、ロータリーコントローラ２２ｃの操作に応じた表示部３０の表示の変化を示す図である。まず、図５（ａ）に示されるように、設定周波数として８２．５０ＭＨｚが設定されているとする。この状態において、設定周波数５０として「８２．５０」の数値、および近傍周波数５２として「８１．５０」、「８２．００」、「８３．００」、および「８３．５０」の各数値が目盛４２に沿って表示されている。
【００４６】
この状態においてロータリーコントローラ２２ｃが右回転させられると、図５（ｂ）に示されるよう、表示制御部２６は、近傍周波数５２を消去し、指針４４ａおよび４４ｂを表示させる。そして、ロータリーコントローラ２２ｃの回転に応じて選択周波数４０を示す数値を０．１ＭＨｚ毎に切り替える。図５（ｂ）の例では、ロータリーコントローラ２２ｃが回転させられ、周波数が８２．６０ＭＨｚから８３．００ＭＨｚまで選択されたとする。このとき、表示制御部２６は、選択周波数が０．１ＭＨｚ切り替わる度に指針４４ａおよび４４ｂを１目盛ずつ移動させる。
【００４７】
この状態でロータリーコントローラ２２ｃが回転させられずに一定時間経過すると、表示制御部２６は、設定周波数として８３．００ＭＨｚが設定されたと判断する。そして、図５（ｃ）に示すように、表示制御部２６は、指針４４ａおよび４４ｂを消去し、設定周波数５０として「８３．００ＭＨｚ」を表示させる。さらに、設定周波数の近傍周波数５２として「８２．００」、「８２．５０」、「８３．５０」、および「８４．００」の各数値が目盛４２に沿って表示させる。
【００４８】
図５に示すように、設定周波数５０のみならず近傍周波数５２を表示させ、ロータリーコントローラ２２ｃの回転後において、変更された設定周波数およびそれに応じて変更された近傍周波数５２を表示させることで、あたかもロータリーコントローラ２２ｃの操作により周波数が順番に記載された文字盤を回転させたような感覚をユーザに与えることができる。
【００４９】
また、従来のアナログ的な表示を行っていたチューナ機器などにおいては、選択可能な周波数の値のすべてに対応した目盛を設け、その目盛にそって指針を動かすなどしていたため、表示部の面積が大きくなってしまう、あるいは、目盛や数値の表示が大きくなってしまっていた。本実施形態によれば、表示部３０に表示されるのは、多数ある選択可能な周波数のうち、設定周波数５０を中心とした複数の設定周波数５０のみである。したがって、ユーザに対してアナログ的な操作感覚を与えつつも、表示部３０のサイズを小さくすることができる。あるいは、表示部３０のサイズはそのままに目盛や数値の表示を大きくすることができる。さらに、指針４４ａおよび４４ｂと近傍周波数５２が同領域に表示されるため、これも表示部のサイズ低減あるいは目盛や数値の表示拡大に寄与している。
【００５０】
このように、本実施形態では、表示の変更が容易、あるいは同じ領域に様々な異なる情報を表示することができるという電子表示部が有するフレキシブルさを利用しつつ、ユーザに対してアナログの操作感覚を与えることを可能にしている。
【００５１】
本実施形態は、チューナファンクションにおける周波数選択を例に説明したが、本発明は、その他の設定においても適用することが可能である。例えば、ボリューム値の設定にも適用可能である。この場合、ロータリーコントローラ２２ｂが回転させられると、表示制御部２６は、図２と同様の画面を表示させ、選択周波数４０に代えて選択ボリューム値を表示させる。そして、ボリューム値の設定が終了したら図４と同様の画面を表示させ、設定周波数５０に代えて設定ボリューム値（例えば「−２０ｄＢ」を表示させ、近傍周波数５２に代えて設定ボリューム値近傍の値（例えば「−２２」、「−２１」、「−１９」、および「−１８」）を表示させる。
【００５２】
また、同様にして、ＣＤファンクションにおける再生トラックの選択、複数のＣＤが格納されている場合の再生対象となるＣＤの選択、外部入力ファンクションにおける再生対象オーディオファイルの選択においても本発明を適用可能である。この場合、表示制御部２６は、図２の選択周波数４０に代えて選択トラックなどを示す番号を表示させ、図４の設定周波数５０に代えて設定トラックなどを示す数値（例えば「３」を表示させ、近傍周波数５２に代えて設定トラックなどの近傍の数値（例えば「１」、「２」、「４」、および「５」）を表示させる。
【００５３】
また、本実施形態では、任意の曲率に設定された円周方向に沿って目盛４２および指針４４ａ，４４ｂを表示するようにしているが、曲率ゼロ、すなわち、直線スケールに沿って表示することも可能である。この場合、目盛４２は直線スケールの方向に沿って表示され、指標としての指針は、ロータリーコントローラの回転に応じて表示位置が直線的に移動することになる。
【００５４】
図６は、表示制御部２６の動作の流れを示すフローチャートである。図１を参照しながら図６を用いて表示制御部２６の動作の流れを説明する。
【００５５】
ステップＳ１０において、制御部２４は、ユーザによるプッシュボタンの操作に基づいてファンクションを選択する。本例ではチューナファンクションが選択されたとする。制御部２４は、チューナファンクションが選択されたことを表示制御部２６に通知する。
【００５６】
ステップＳ１２において、制御部２４は、周波数を選択するためのロータリーコントローラ２２ｃが回転操作させられているか否かを判断する。回転させられていない場合は、ステップＳ２０に進み、ステップＳ２０において表示制御部２６は、図４に示すように、設定周波数および近傍周波数を目盛に沿って表示部３０に表示させる。なお、この場合の設定周波数は前回のチューナファンクションの動作時に最後に設定されていた周波数であってよい。
【００５７】
ステップＳ１２においてロータリーコントローラ２２ｃが回転させられている場合は、ステップＳ１４に進む。ステップＳ１４において、表示制御部２６は回転指標である指針を表示させ、さらにロータリーコントローラ２２ｃの回転（回転方向や回転速度）に応じて当該指針の表示位置を移動させる。
【００５８】
ステップＳ１６において、制御部２４は、ロータリーコントローラ２２ｃの回転が停止してから一定時間経過したか否かを判断する。引き続きロータリーコントローラが回転させられている場合は、ステップＳ１４に戻り、表示制御部２６は指針の表示位置の移動を続ける。ロータリーコントローラの回転が停止してから一定時間経過した場合は、ユーザによる周波数の設定が終了したと判断し、ステップＳ１８に進む。ステップＳ１８において、表示制御部２６は、指針の表示を消去する。
【００５９】
ステップＳ２０において、表示制御部２６は、図４に示すように、ロータリーコントローラ２２ｃの回転操作によりユーザが設定した設定周波数およびその近傍周波数を目盛に沿って表示させる。
【００６０】
ステップＳ２２において、制御部２４は、再度周波数を選択するためのロータリーコントローラ２２ｃが回転操作させられているか否かを判断する。ロータリーコントローラ２２ｃが再度回転操作された場合は、ステップＳ２４にすすみ、ステップＳ２４において表示制御部２６は近傍周波数を消去する。そして、再度ステップＳ１４に戻り、指針を表示させる。
【００６１】
以上、本発明の実施形態について説明した。本実施形態では、機器としてデジタルオーディオプレイヤを例に説明したが、本発明は、例えば、アンプ、チューナ、ＣＤチェンジャー、ポータブルプレイヤーなどのオーディオ機器、マルチトラックレコーダあるいはハンディレコーダなどのレコーディング機器、その他情報機器、通信機器などにおいても適用することが可能である。
【符号の説明】
【００６２】
１０  デジタルオーディオプレイヤ、１２  ＣＤ読取部、１４  チューナ部、１６  外部入力インターフェース、１８  音声処理部、２０  スピーカ、２２  操作部、２２ａ  プッシュボタン群、２２ｂ，２２ｃ  ロータリーコントローラ、２４  制御部、２６  表示制御部、２８  メモリ、３０  表示部。
【図１】
0006331869.tif 000002
【図２】
0006331869.tif 000003
【図３】
0006331869.tif 000004
【図４】
0006331869.tif 000005
【図５】
0006331869.tif 000006
【図６】
0006331869.tif 000007